(57)【要約】【課題】記録媒体の記録レートを超えるレートでビデオデータを記録することができるようにする。【解決手段】カムコーダ１は、マスター機器として、スレーブ機器としての記録再生装置４と、イーサネット（Ｒ）等より構成されるネットワーク３を介して通信し、ＣＣＤビデオカメラ１１により撮像された画像のビデオデータを、光ディスク２と、記録再生装置４に装着された光ディスク５に分けて記録する。このようにビデオデータを、複数の記録媒体（この例の場合、２個の光ディスク）に分けて記録することで、例えば、光ディスク２の記録レートを超えるデータレートでビデオデータを記録することができる。【選択図】　　　図１
2004103105.tif 000002
【特許請求の範囲】
【請求項１】
少なくともマスターとなる第１の記録媒体への記録を制御する第１の記録装置、および第１の記録装置に接続されるＭ個（正の整数）の、マスターとはならない、少なくとも１個以上の第２の記録媒体への記録を制御する第２の記録装置からなる記録システムにおいて、
前記第１の記録装置は、
画像データに、所定の単位毎に、前記第１の記録媒体または前記第２の記録媒体の中の１つの記録媒体を割り当てる割り当て手段と、
前記割り当て手段により割り当てられた前記記録媒体の識別情報を、前記単位毎に前記第１の記録媒体に記録するとともに、前記割り当て手段により前記第１の記録媒体が割り当てられたとき、前記画像データを、前記第１の記録媒体に記録する記録手段と、
前記割り当て手段により前記第２の記録媒体が割り当てられたとき、前記画像データを、前記第２の記録媒体への記録を制御する前記第２の記録装置に送信する送信手段と
を備え、
Ｍ個の前記第２の記録装置は、
前記第１の記録装置の前記送信手段により送信された前記画像データを受信する受信手段と、
前記受信手段により受信された前記画像データを、前記第２の記録媒体に記録する第２の記録手段と
を備えることを特徴とする記録システム。
【請求項２】
前記第１の記録装置が、前記第２の記録媒体への記録をさらに制御するとき、
前記記録手段は、前記割り当て手段により、前記第１の記録装置がその記録を制御する前記第２の記録媒体が割り当てられたとき、前記画像データを、前記第２の記録媒体に記録する
ことを特徴とする請求項１に記載の記録システム。
【請求項３】
少なくともマスターとなる第１の記録媒体への記録を制御するとともに、Ｍ個（正の整数）の、マスターとはならない、少なくとも１個以上の第２の記録媒体への記録を制御する外部の記録装置と接続される記録装置において、
画像データに、所定の単位毎に、前記第１の記録媒体または前記第２の記録媒体の中の１つの記録媒体を割り当てる割り当て手段と、
前記割り当て手段により割り当てられた前記記録媒体の識別情報を、前記単位毎に前記第１の記録媒体に記録するとともに、前記割り当て手段により前記第１の記録媒体が割り当てられたとき、前記画像データを、前記第１の記録媒体に記録する記録手段と、
前記割り当て手段により前記第２の記録媒体が割り当てられたとき、前記画像データを、前記第２の記録媒体への記録を制御する前記第２の記録装置に送信する送信手段と
を備えることを特徴とする記録装置。
【請求項４】
前記第１の記録装置が、前記第２の記録媒体への記録をさらに制御するとき、
前記記録手段は、前記割り当て手段により、前記第１の記録装置がその記録を制御する前記第２の記録媒体が割り当てられたとき、前記画像データを、前記第２の記録媒体に記録する
ことを特徴とする請求項３に記載の記録装置。
【請求項５】
少なくともマスターとなる第１の記録媒体への記録を制御するとともに、Ｍ個（正の整数）の、マスターとはならない、少なくとも１個以上の第２の記録媒体への記録を制御する外部の記録装置と接続される記録装置の記録方法において、
画像データに、所定の単位毎に、前記第１の記録媒体または前記第２の記録媒体の中の１つの記録媒体を割り当てる割り当てステップと、
前記割り当てステップの処理で割り当てられた前記記録媒体の識別情報を、前記単位毎に前記第１の記録媒体に記録するとともに、前記割り当てステップの処理で前記第１の記録媒体が割り当てられたとき、前記画像データを、前記第１の記録媒体に記録する記録ステップと、
前記割り当てステップの処理で前記第２の記録媒体が割り当てられたとき、前記画像データを、前記第２の記録媒体への記録を制御する前記第２の記録装置に送信する送信ステップと
を含むことを特徴とする記録方法。
【請求項６】
少なくともマスターとなる第１の記録媒体への記録を制御する外部の記録装置に接続され、マスターとはならない、少なくとも１個以上の第２の記録媒体への記録を制御する記録装置において、
前記外部の記録装置より送信されてきた、前記第２の記録媒体が割り当てられた画像データを受信する受信手段と、
前記受信手段により受信された前記画像データを、前記第２の記録媒体に記録する第２の記録手段と
を備えることを特徴とする記録装置。
【請求項７】
少なくともマスターとなる第１の記録媒体への記録を制御する外部の記録装置に接続され、マスターとはならない、少なくとも１個以上の第２の記録媒体への記録を制御する記録装置の記録方法において、
前記外部の記録装置より送信されてきた、前記第２の記録媒体が割り当てられた画像データを受信する受信ステップと、
前記受信ステップの処理で受信された前記画像データを、前記第２の記録媒体に記録する第２の記録ステップと
を含むことを特徴とする記録方法。
【請求項８】
画像データの所定の単位毎に割り当てられた記録媒体の識別情報と、第１の記録媒体が割り当てられた前記画像データが記録されている前記第１の記録媒体、または第２の記録媒体が割り当てられた前記画像データが記録されている前記第２の記録媒体に記録されている前記画像データを再生する再生装置において、
前記第１の記録媒体に記録された前記記録媒体の識別情報を取得する第１の取得手段と、
前記単位毎に、前記記録媒体の識別情報により示される前記第１または第２の記録媒体に記録されている前記画像データを取得する第２の取得手段と、
前記第２の取得手段により取得された前記画像データから、前記画像データを合成する合成手段と
を備えることを特徴とする再生装置。
【請求項９】
前記第２の取得手段は、前記記録媒体の識別情報により示される前記第２の記録媒体への記録を制御する装置に、画像データの転送を要求し、その要求に応じて送信されてきた前記画像データを受信する
ことを特徴とする請求項８に記載の再生装置。
【請求項１０】
画像データの所定の単位毎に割り当てられた記録媒体の識別情報と、第１の記録媒体が割り当てられた前記画像データが記録されている前記第１の記録媒体、または第２の記録媒体が割り当てられた前記画像データが記録されている前記第２の記録媒体に記録されている前記画像データを再生する再生装置の再生方法において、
前記第１の記録媒体に記録された前記記録媒体の識別情報を取得する第１の取得ステップと、
前記単位毎に、前記記録媒体の識別情報により示される前記記録媒体に記録されている前記画像データを取得する第２の取得ステップと、
前記第２の取得ステップの処理で取得された前記画像データから、前記画像データを合成する合成ステップと
を含むことを特徴とする再生方法。
【発明の詳細な説明】
【０００１】
【発明の属する技術分野】
本発明は、記録システム、記録装置および方法、再生装置および方法、並びにプログラムに関し、特に、記録装置の記録レートを超えるレートでビデオデータを記録することができるようにした記録システム、記録装置および方法、再生装置および方法、並びにプログラムに関する。
【０００２】
【従来の技術】
撮像した画像を記録媒体に記録する記録装置では、ドライブの性能に応じた記録レートで、画像が記録される。
【０００３】
【発明が解決しようとする課題】
すなわち従来においては、その記録レートを超えるデータレートで画像を記録することができなかった。
【０００４】
本発明はこのような状況に鑑みてなされたものであり、簡単な構成で、記録装置の記録レートを超えるデータレートで画像を記録し、それを再生することができるようにするものである。
【０００５】
【課題を解決するための手段】
本発明の記録システムは、第１の記録装置が、画像データに、所定の単位毎に、第１の記録媒体または第２の記録媒体の中の１つの記録媒体を割り当てる割り当て手段と、割り当て手段により割り当てられた記録媒体の識別情報を、単位毎に第１の記録媒体に記録するとともに、割り当て手段により第１の記録媒体が割り当てられたとき、画像データを、第１の記録媒体に記録する記録手段と、割り当て手段により第２の記録媒体が割り当てられたとき、画像データを、第２の記録媒体への記録を制御する第２の記録装置に送信する送信手段とを備え、Ｍ個の第２の記録装置が、第１の記録装置の送信手段により送信された画像データを受信する受信手段と、受信手段により受信された画像データを、第２の記録媒体に記録する第２の記録手段とを備えることを特徴とする。
【０００６】
第１の記録装置が、第２の記録媒体への記録をさらに制御するとき、記録手段は、割り当て手段により、第１の記録装置がその記録を制御する第２の記録媒体が割り当てられたとき、画像データを、第２の記録媒体に記録することができる。
【０００７】
本発明の第１の記録装置は、画像データに、所定の単位毎に、第１の記録媒体または第２の記録媒体の中の１つの記録媒体を割り当てる割り当て手段と、割り当て手段により割り当てられた記録媒体の識別情報を、単位毎に第１の記録媒体に記録するとともに、割り当て手段により第１の記録媒体が割り当てられたとき、画像データを、第１の記録媒体に記録する記録手段と、割り当て手段により第２の記録媒体が割り当てられたとき、画像データを、第２の記録媒体への記録を制御する第２の記録装置に送信する送信手段とを備えることを特徴とする。
【０００８】
第１の記録装置が、第２の記録媒体への記録をさらに制御するとき、記録手段は、割り当て手段により、第１の記録装置がその記録を制御する第２の記録媒体が割り当てられたとき、画像データを、第２の記録媒体に記録することができる。
【０００９】
本発明の第１の記録方法は、画像データに、所定の単位毎に、第１の記録媒体または第２の記録媒体の中の１つの記録媒体を割り当てる割り当てステップと、割り当てステップの処理で割り当てられた記録媒体の識別情報を、単位毎に第１の記録媒体に記録するとともに、割り当てステップの処理で第１の記録媒体が割り当てられたとき、画像データを、第１の記録媒体に記録する記録ステップと、割り当てステップの処理で第２の記録媒体が割り当てられたとき、画像データを、第２の記録媒体への記録を制御する第２の記録装置に送信する送信ステップとを含むことを特徴とする。
【００１０】
本発明の第１の記録装置および方法においては、画像データに、所定の単位毎に、第１の記録媒体または第２の記録媒体の中の１つの記録媒体が割り当てられ、割り当てられた記録媒体の識別情報が、単位毎に第１の記録媒体に記録されるとともに、第１の記録媒体が割り当てられたとき、画像データが、第１の記録媒体に記録され、第２の記録媒体が割り当てられたとき、画像データが、第２の記録媒体への記録を制御する第２の記録装置に送信される。
【００１１】
本発明の第２の記録装置は、外部の記録装置より送信されてきた、第２の記録媒体が割り当てられた画像データを受信する受信手段と、受信手段により受信された画像データを、第２の記録媒体に記録する第２の記録手段とを備えることを特徴とする。
【００１２】
本発明の第２の記録方法は、外部の記録装置より送信されてきた、第２の記録媒体が割り当てられた画像データを受信する受信ステップと、受信ステップの処理で受信された画像データを、第２の記録媒体に記録する第２の記録ステップとを含むことを特徴とする。
【００１３】
本発明の第２の記録装置および方法においては、外部の記録装置より送信されてきた、第２の記録媒体が割り当てられた画像データが受信され、受信された画像データが、第２の記録媒体に記録される。
【００１４】
本発明の再生装置は、第１の記録媒体に記録された記録媒体の識別情報を取得する第１の取得手段と、単位毎に、記録媒体の識別情報により示される第１または第２の記録媒体に記録されている画像データを取得する第２の取得手段と、第２の取得手段により取得された画像データから、画像データを合成する合成手段とを備えることを特徴とする。
【００１５】
第２の取得手段は、記録媒体の識別情報により示される第２の記録媒体への記録を制御する装置に、画像データの転送を要求し、その要求に応じて送信されてきた画像データを受信することができる。
【００１６】
本発明の再生方法は、第１の記録媒体に記録された記録媒体の識別情報を取得する第１の取得ステップと、単位毎に、記録媒体の識別情報により示される記録媒体に記録されている画像データを取得する第２の取得ステップと、第２の取得ステップの処理で取得された画像データから、画像データを合成する合成ステップとを含むことを特徴とする。
【００１７】
本発明の再生装置および方法においては、第１の記録媒体に記録された記録媒体の識別情報が取得され、単位毎に、記録媒体の識別情報により示される記録媒体に記録されている画像データが取得され、取得された画像データから、画像データが合成される。
【００１８】
【発明の実施の形態】
図１は、本発明を適用したカムコーダ１および記録再生装置４の利用例を示している。
【００１９】
カムコーダ１は、ＣＣＤビデオカメラ１１により撮像された画像のビデオデータを、光ディスク２の記録レートに応じたデータレート（以下、通常データレートと称する）で、光ディスク２に記録する。
【００２０】
カムコーダ１はまた、マスター機器として、スレーブ機器としての記録再生装置４と、イーサネット（Ｒ）等より構成されるネットワーク３を介して通信し、ＣＣＤビデオカメラ１１により撮像された画像のビデオデータを、光ディスク２と、記録再生装置４に装着された光ディスク５に分けて記録する。このようにビデオデータを、複数の記録媒体（この例の場合、２個の光ディスク）に分けて記録することで、例えば、光ディスク２の記録レートを超えるデータレート（以下、高データレートと称する）でビデオデータを記録することができる。
【００２１】
なお図１の例では、記録媒体として光ディスクが示されているが、他の記録媒体でもよい。
【００２２】
カムコーダ１は、光ディスク２に記録された通常データレートのビデオデータを再生する。
【００２３】
カムコーダ１はまた、マスター機器として、スレーブ機器としての記録再生装置４と通信し、光ディスク２および光ディスク５から、それぞれに記録された高データレートのビデオデータを読み出して合成し、高データレートのビデオデータを再生する。
【００２４】
記録再生装置４は、スレーブ機器として、マスター機器としてのカムコーダ１から供給されたビデオデータ（高データレートのビデオデータの一部）を光ディスク５に記録するとともに、カムコーダ１からの要求に応じて、光ディスク５に記録されているビデオデータを、ネットワーク３を介してカムコーダ１に送信する。
【００２５】
図２は、カムコーダ１の構成例を示している。ＣＣＤビデオカメラ１１は、撮像の結果得られた画像信号を、記録部１３に出力し、マイクロフォン１２は、集音の結果得られた音声信号を記録部１３に出力する。
【００２６】
記録部１３は、ＣＣＤビデオカメラ１１からの画像信号をエンコード等し、その結果得られたビデオデータを、ドライブ１４またはネットワークＩ／Ｆ１５に出力する。記録部１３は、マイクロフォン１２から入力された音声信号に対して所定の音声処理を施し、その結果得られたオーディオデータを、ドライブ１４に出力する。
【００２７】
ドライブ１４は、記録部１３から供給されたビデオデータおよびオーディオデータ、並びに制御部１７から供給された属性データ（後述）を、光ディスク２に記録する。ドライブ１４は、光ディスク２に記録されているビデオデータ若しくはオーディオデータ、または属性データを読み出し、ビデオデータ若しくはオーディオデータを再生部１６に供給し、属性データを制御部１７に供給する。
【００２８】
ネットワークＩ／Ｆ１５は、記録部１３から供給されたビデオデータを、ネットワーク３を介して記録再生装置４に送信したり、ネットワーク３を介して記録再生装置４から送信されてきたビデオデータを受信して、再生部１６に供給する。
【００２９】
再生部１６は、ドライブ１４から供給されたビデオデータ、またはネットワークＩ／Ｆ１５から供給されたビデオデータを再生して、表示部１８に表示させる。再生部１６はまた、ドライブ１４から供給されたオーディオデータを再生してスピーカ１９を介して出力する。
【００３０】
制御部１７は、記録部１３乃至再生部１６を制御して、後述する記録処理および再生処理を実行させる。
【００３１】
図３は、図２のカムコーダ１の記録部１３の構成例を示している。
【００３２】
ＣＣＤビデオカメラ１１から記録部１３に供給された画像信号は、エンコーダ３１およびエンコーダ３５にそれぞれ入力される。
【００３３】
エンコーダ３１は、入力された画像信号を、光ディスク２の記録レートに応じたデータレート（通常データレート）、またはユーザにより要求されたそれを越えるデータレート（高データレート）に圧縮し、フレームスイッチ３２に出力する。
【００３４】
フレームスイッチ３２は、その一方がエンコーダ３１に接続され、他方が、バッファ３３またはバッファ３４に接続される。
【００３５】
フレームスイッチ３２は、高データレートで画像が記録されるとき、エンコーダ３１から供給されたビデオデータが、所定の規則に従ってバッファ３３またはバッファ３４に振り分けられるように、バッファ３３またはバッファ３４との接続を適宜切り換える。
【００３６】
フレームスイッチ３２はまた、通常データレートで画像が記録されるとき、バッファ３４に常時接続し、エンコーダ３１から入力されたビデオデータを、バッファ３４のみに供給する。
【００３７】
バッファ３３に入力されたビデオデータは、適宜、ネットワークＩ／Ｆ１５により読み出され、所定の伝送レートで、ネットワーク３を介して記録再生装置４に送信される。なお詳細は後述するが記録再生装置４に送信されたビデオデータは、光ディスク５内に生成された画像ファイル５Ａに記録される。
【００３８】
バッファ３４に入力されたビデオデータは、適宜、ドライブ１４により読み出され、光ディスク２に生成された記録ファイル２Ａに記録される。
【００３９】
このようにフレームスイッチ３２より出力されたビデオデータは、バッファ３３またはバッファ３４を介して、ドライブ１４またはネットワークＩ／Ｆ１５に出力されるが、これは、ビデオデータのデータレートを、ネットワーク３の伝送レートまたは光ディスク２の記録レートに合わせるためである。
【００４０】
エンコーダ３５は、入力された画像信号に対して、画素数変換などの解像度を落とす処理等を施し、低解像度画像のビデオデータ（このビデオデータは、主に編集作業に利用されるので、以下、編集用のビデオデータと称する）を生成し、ドライブ１４に供給する。ドライブ１４は、エンコーダ３５から供給された編集用のビデオデータを、光ディスク２の記録ファイル２Ａに記録する。
【００４１】
マイクロフォン１２から記録部１３に供給された音声信号は音声処理部３６に入力される。音声処理部３６は、入力された音声信号に対して所定の音声処理を施し、その結果得られたオーディオデータを、ドライブ１４に供給する。ドライブ１４は、音声処理部３６から供給されたオーディオデータを、光ディスク２の記録ファイル２Ａに記録する。
【００４２】
制御部１７は、記録時において、通常データレートまたは高データレートで記録されるビデオデータの属性データ（後述）を、フレーム単位でドライブ１４に供給する。ドライブ１４は、制御部１７から供給された属性データを、光ディスク２に生成された属性ファイル２Ｂに記録する。
【００４３】
図４は、図２のカムコーダ１の再生部１６の構成例を示している。
【００４４】
ネットワークＩ／Ｆ１５から再生部１６に供給された、記録再生装置４から送信されてきた光ディスク５の画像ファイル５Ａに記録されていたビデオデータは、バッファ５１に入力される。
【００４５】
ドライブ１４から再生部１６に供給された、光ディスク２の記録ファイル２Ａから読み出された高データレートまたは通常データレートのビデオデータは、バッファ５２に入力される。
【００４６】
ドライブ１４から再生部１６に供給された、光ディスク２の記録ファイル２Ａから読み出された編集用のビデオデータは、デコーダ５５に入力される。ドライブ１４から再生部１６に供給された、光ディスク２の記録ファイル２Ａから読み出されたオーディオデータは、音声処理部５６に入力される。
【００４７】
またドライブ１４により光ディスク２の属性ファイル２Ｂから読み出された属性データは、制御部１７に供給される。
【００４８】
再生部１６のフレームスイッチ５３は、一方がバッファ５１またはバッファ５２と接続され、他方がデコーダ５４と接続されている。フレームスイッチ５３は、高データレートのビデオデータを再生するとき、高データレートのビデオデータが適切に再生されるように、バッファ５１またはバッファ５２との接続を適宜切り換えて、バッファ５１またはバッファ５２に記憶されたビデオデータをデコーダ５４に供給する。
【００４９】
フレームスイッチ５３はまた、通常データレートのビデオデータを再生するとき、バッファ５２に常時接続し、バッファ５２に記憶されたビデオデータを、デコーダ５４に供給する。
【００５０】
デコーダ５４は、フレームスイッチ５３より入力されたビデオデータをデコードし、その結果得られた画像信号を表示部１８に出力する。
【００５１】
デコーダ５５は、入力された編集用のビデオデータをデコードし、その結果得られた画像信号を表示部１８に出力する。音声処理部５６は、入力されたオーディオデータに所定の音声処理を施し、その結果得られた音声信号を、スピーカ１９を介して出力する。
【００５２】
制御部１７は、再生時に、ドライブ１４から供給された属性データを解析し、ドライブ１４、ネットワークＩ／Ｆ１５、または再生部１６等を制御する。
【００５３】
図５は、図１の記録再生装置４の構成例を示している。
【００５４】
ネットワークＩ／Ｆ７１は、ネットワーク３に接続され、カムコーダ１から送信されてきたビデオデータ（高データレートのビデオデータ）を受信し、バッファ７２に出力する。ドライブ７３は、バッファ７２に記憶されたビデオデータを適宜読み出し、光ディスク５に生成された画像ファイル５Ａに記録する。
【００５５】
ドライブ７３は、光ディスク５の画像ファイル５Ａからビデオデータを読み出し、バッファ７４に出力する。
【００５６】
ネットワークＩ／Ｆ７１は、バッファ７４に記憶されたビデオデータを、適宜読み出し、ネットワーク３を介してカムコーダ１に送信する。
【００５７】
次に、カムコーダ１の記録処理を、図６のフローチャートを参照して説明する。
【００５８】
ステップＳ１において、カムコーダ１の制御部１７（図３）は、画像記録モードが設定されたか否かを判定し、画像記録モードが設定されたと判定した場合、ステップＳ２に進み、その設定が、高データレート画像記録モードの設定であるかまたは通常データレート画像記録モードの設定であるかを判定する。
【００５９】
ここで画像記録モードの設定方法について説明する。この設定は、表示部１８（図２）に表示される、図７に示すような画像記録モード設定画面ＳＶ１が利用される。
【００６０】
ユーザは、カムコーダ１の図示せぬ操作部を操作して、画像記録モード設定画面ＳＶ１に設けられた「画像記録モード設定」の欄ＳＶ２の「通常データレート画像」または「高データレート画像」のいずれかの表示を選択する。ユーザは、高データレートで画像を記録する場合、「高データレート画像」を選択し、通常データレートで画像を記録する場合、「通常データレート画像」を選択する。
【００６１】
例えば、高データレートで画像を記録するものとして、「高データレート画像」の表示が選択された場合、画像記録モード設定画面ＳＶ１には、図８に示すように、「高データレート画像記録モード設定項目」の欄ＳＶ３が表示される。そしてこの例の場合、カムコーダ１は、マスター機器として機能するので、ユーザは、「高データレート画像記録モード設定項目」の欄ＳＶ３に設けられた「動作モード選択」の欄ＳＶ４の「マスター機器モード」の表示を選択し、「機器のＩＰアドレス」の欄ＳＶ５に、カムコーダ１のＩＰアドレスを入力する。
【００６２】
このように「マスター機器モード」の表示が選択され、マスター機器（以下、マスター機器１と称する）のＩＰアドレスが入力されると、「高データレート画像記録モード設定項目」の欄ＳＶ３には、図９に示すように、「マスター機器モード設定項目」の欄ＳＶ６が表示される。そしてユーザは、「マスター機器モード設定項目」の欄ＳＶ６に設けられた「記録ファイル名」の入力欄ＳＶ７に、記録ファイル２Ａの名前としたい文字列を入力し、「記録データレート」の入力欄ＳＶ８に、記録のデータレート（例えば、光ディスク２の記録レートを超えるデータレート）（Ｍｐｂｓ）を入力する。
【００６３】
このように「記録ファイル名」の入力欄ＳＶ７にファイル名（図９の例では、ｓａｍｐｌｅ）が入力され、「記録データレート」の入力欄ＳＶ８に記録データレート（図９の例では、８０Ｍｂｐｓ）が入力されると、図１０に示すように、「スレーブ機器ＩＰアドレス設定」の欄ＳＶ９が表示され、それには、入力された記録データレートでの記録に必要な数のスレーブ機器のＩＰアドレスを入力する入力欄ＳＶ１０が設けられている。すなわち要求された記録データレートが高ければ高いほど、より多くの記録媒体に分けて記録する必要があるので、多くの入力欄ＳＶ１０が表示される。なお、この例の場合、要求された８０Ｍｂｐｓの記録データレートでビデオデータを記録するには、光ディスク２の他、もう１つの記録媒体が必要となるので、１つの入力欄ＳＶ１０が表示されている。
【００６４】
ユーザは、図１０に示すように、入力欄ＳＶ１０にスレーブ機器（例えば、記録再生装置４）のＩＰアドレスを入力する。
【００６５】
このように「高データレート画像記録モード設定項目」の欄ＳＶ３に必要な情報を入力した後、ユーザが、画像記録モード設定画面ＳＶ１の「設定有効」ボタンＳＶ１１を操作すると、画像記録モードが、高データレート画像記録モードに設定される。すなわちカムコーダ１がマスター機器として、記録再生装置４がスレーブ機器として機能し、後述するような記録処理を実行する。
【００６６】
一方、通常データレート画像記録モードを設定するものとして、図１１に示すように、「画像記録モード設定」の欄ＳＶ２の「通常データレート画像」の表示が選択され、「設定有効」ボタンＳＶ１１が操作されると、画像記録モードは、通常データレート画像記録モードに設定される。この場合、カムコーダ１は、いわゆる通常の記録処理を行う。すなわちビデオデータは、光ディスク２にのみ記録される。
【００６７】
図６に戻り、ステップＳ２で、高データレート画像記録モードが設定されたと判定された場合、ステップＳ３に進み、制御部１７（図３）は、ネットワークＩ／Ｆ１５を制御して、スレーブ機器として設定された機器（「スレーブ機器のＩＰアドレス設定」の欄ＳＶ９の入力欄ＳＶ１０にＩＰアドレスが入力された機器）（この例の場合、記録再生装置４）に対して、ＦＴＰ接続を要求し（コマンド“ｆｔｐ”を送信し）、スレーブ機器としての記録再生装置４（以下、スレーブ機器４と称する）からの応答に基づいて、ＦＴＰ接続を確立させる。すなわち、マスター機器１は、ＦＴＰクライアントとなり、スレーブ機器４は、ＦＴＰサーバとなる。
【００６８】
なお、マスター機器１は、ＦＴＰ接続を確立した後に、光ディスク２の内容を確認するとともに、光ディスク５の内容を確認し（コマンド“ｌｓ”を送信し）、「マスター機器モード設定項目」の欄ＳＶ６の入力欄ＳＶ７に入力された記録ファイル２Ａの名前と同じまたはそれを先頭に含む名前が、光ディスク２または光ディスク５において利用されているかを判定し、利用されている場合、記録ファイル２Ａの名前の変更を促すメッセージを表示させ、それを変更させる。なお、記録ファイル２Ａの変更がなされなかった場合、記録処理は終了するものとする。
【００６９】
次に、ステップＳ４において、制御部１７は、ドライブ１４を制御して、光ディスク２に、記録ファイル２Ａ、および属性ファイル２Ｂを生成する。なお、記録ファイル２Ａおよび属性ファイル２Ｂのそれぞれには、所定の拡張子と名前（記録ファイル２Ａについては画像記録モード設定画面ＳＶ１に設定された名前）が付与され、それらは、その名前または拡張子により管理される。
【００７０】
ステップＳ５において、制御部１７は、操作部から記録開始の指令が入力されたか否かを判定し、その指令が入力されたと判定した場合、ステップＳ６に進み、エンコーダ３１およびエンコーダ３５、並びに音声処理部３６を制御し、エンコード処理および音声処理を開始させる。それにより、エンコーダ３１からは、設定された記録データレートのビデオデータ（高データレートのビデオデータ）が出力され、エンコーダ３５からは編集用のビデオデータが出力され、そして音声処理部３６からはオーディオデータが出力されるようになる。
【００７１】
次に、ステップＳ７において、制御部１７は、高データレート記録処理を実行する。この処理の詳細を、図１２のフローチャートを参照して説明する。
【００７２】
次に、ステップＳ２１において、制御部１７は、エンコーダ３１よりフレームスイッチ３２に入力された１フレーム分のビデオデータを記録する記録媒体を検出する。具体的にはこの例の場合、そのフレームが、マスター機器１（カムコーダ１）の光ディスク２に記録されるものかまたはスレーブ機器４（記録再生装置４）の光ディスク５に記録されるものかが判定される。
【００７３】
例えば、フレームが１つおきに、マスター機器１またはスレーブ機器４に記録される場合において、１つ前に入力されたフレームがマスター機器１に記録されたとき、いま入力されたフレームはスレーブ機器４に記録されるものであると判定され、また１つ前に入力されたフレームがスレーブ機器４に記録されたとき、いま入力されたフレームはマスター機器１に記録されるものであると判定される。なお、最初にフレームスイッチ３２に入力されたフレームは、マスター機器１に記録されるものとする。
【００７４】
ステップＳ２１で、マスター機器１に記録されるものであると判定された場合、ステップＳ２２に進み、制御部１７は、フレームスイッチ３２をバッファ３４に接続させ、フレームスイッチ３２に入力されたフレームを、バッファ３４に出力させる。そして制御部１７は、ドライブ１４を制御して、バッファ３４に記憶されたフレームを、光ディスク２の記録ファイル２Ａに記録させる。
【００７５】
次に、ステップＳ２３において、制御部１７は、ドライブ１４を制御して、ステップＳ２２で記録ファイル２Ａに記録されたフレームに対応する、エンコード３５から出力された編集用のビデオデータ、および音声処理部３６から出力されたオーディオデータを、同様に光ディスク２の記録ファイル２Ａに記録させる。
【００７６】
ステップＳ２１で、スレーブ機器４に記録されるものであると判定された場合、ステップＳ２４に進み、カムコーダ１の制御部１７は、フレームスイッチ３２をバッファ３３に接続させ、フレームスイッチ３２に入力されたフレームをバッファ３３に出力させる。そして制御部１７は、ネットワークＩ／Ｆ１５を制御して、バッファ３３に記憶されたフレームを、ＦＴＰで、スレーブ機器４の光ディスク５の画像ファイル５Ａに送信させる（コマンド“ｐｕｔ”を送信する）。
【００７７】
次に、ステップＳ２５において、制御部１７は、ドライブ１４を制御して、ステップＳ２４でスレーブ機器４に送信されたフレームに対応する、エンコード３５から出力された編集用のビデオデータ、および音声処理部３６から出力されたオーディオデータを、光ディスク２の記録ファイル２Ａに記録させる。
【００７８】
ステップＳ２３またはステップＳ２５の処理の後、ステップＳ２６に進み、制御部１７は、ドライブ１４を制御して、ステップＳ２２でマスター機器１の光ディスク２（記録ファイル２Ａ）に記録されたフレーム、またはステップＳ２４でスレーブ機器４に送信されたフレーム（光ディスク５の画像ファイル５Ａに記録されたフレーム）の属性データを、光ディスク２の属性ファイル２Ｂに記録させる。その後、処理は、図６のステップＳ８に進む。
【００７９】
図１３は、属性データの構成例を示している。属性データは、記録媒体番号ＲＮ、フレームサイズ（バイト数）ＦＳ、フレームの連続番号ＣＮ、およびタイムコードＴＣからなる。
【００８０】
記録媒体番号ＲＮは、この例の場合、制御部１７により決定された、ビデオデータが記録されるマスター機器１に装着された光ディスク２、またはスレーブ機器４に装着された光ディスク５を示す番号である。なお、光ディスク２には、番号０、および光ディスク５には、番号１の記録媒体番号ＲＮが付与されているものとする。またフレームの連続番号ＣＮは、制御部１７により、フレーム毎に付与された連続する１から始まる番号である。
【００８１】
図１４は、上述した高データレート画像記録処理が行われているときの、図３の範囲Ｘを通過するデータ、および制御部１７からドライブ１４に供給される属性データを模擬的に示したものである。すなわちこの例の場合、最初にフレームスイッチ３２に入力されたフレームＦ１は、バッファ３４に出力され、ドライブ１４を介して、光ディスク２の記録ファイル２Ａに記録される。そしてそれに続いて入力されたフレームＦ２は、バッファ３３に出力され、ネットワークＩ／Ｆ１５を介してスレーブ機器４に送信される。そしてそれに装着された光ディスク５の画像ファイル５Ａに記録される。
【００８２】
また続いて入力されたフレームＦ３は、バッファ３４に出力され、ドライブ１４を介して光ディスク２の記録ファイル２Ａに記録され、そしてそれに続いて入力されたフレームＦ４は、バッファ３３に出力されて、ネットワークＩ／Ｆ１５を介してスレーブ機器４に送信され、光ディスク５の画像ファイル５Ａに記録される。
【００８３】
すなわちこの例の場合、高データレートのビデオデータが、１フレーム毎に振り分けられて、光ディスク２および光ディスク５に記録される。その結果、マスター機器１およびスレーブ機器４におけるビデオデータのデータレートは、（半分になり）、光ディスク２または光ディスク５の記録レート以下となるので、光ディスク２または光ディスク５の記録レートで、ビデオデータは記録される。
【００８４】
エンコーダ３５から出力された、フレーム毎の編集用のビデオデータＥ１，Ｅ２，Ｅ３，Ｅ４・・・、および音声処理部３６からのオーディオデータＡ１，Ａ２，Ａ３，Ａ４，・・・は、ドライブ１４を介して、それぞれ光ディスク２の記録ファイル２Ａに記録される。
【００８５】
制御部１７により供給された、フレーム毎の属性データＢ１，Ｂ２，Ｂ３，Ｂ４，・・・は、ドライブ１４を介して光ディスク２の属性ファイル２Ｂに記録される。図１５は、属性ファイル２Ｂに記録されたフレームＦ１乃至フレームＦ４の属性データＢ１乃至Ｂ４を示している。
【００８６】
図６に戻り、ステップＳ８において、制御部１７は、画像記録モードが、通常データレート画像記録モードに変更されたか否かを判定し、変更されていないと判定した場合、ステップＳ９に進み、記録終了の指令が入力されたか否かを判定する。
【００８７】
ステップＳ９で、記録終了の指令が入力されていないと判定された場合、ステップＳ７に戻り、それ以降の処理が行われる。ステップＳ９で、記録終了の指令が入力されたと判定された場合、ステップＳ１０に進み、制御部１７は、ネットワークＩ／Ｆ１５を制御して、ＦＴＰ接続の切断をスレーブ機器４に要求し、その応答に基づいてＦＴＰ接続を切断させる（コマンド“ｑｕｉｔ”を送信する）。
【００８８】
ステップＳ８で、通常データレート画像記録モードに変更されたと判定された場合（図１１）、ステップＳ１１に進み、制御部１７は、ネットワークＩ／Ｆ１５を制御して、ＦＴＰ接続の切断をスレーブ機器４に要求し、その応答に基づいてＦＴＰ接続を切断させる（コマンド“ｑｕｉｔ”を送信する）。
【００８９】
ステップＳ２で、通常データレート画像記録モードが設定されていると判定されたとき、ステップＳ１２に進み、制御部１７は、操作部から記録開始の指令が入力されたか否かを判定し、その指令が入力されたと判定した場合、ステップＳ１３に進む。
【００９０】
ステップＳ１３において、エンコーダ３１およびエンコーダ３５、並びに音声処理部３６を制御し、エンコード処理および音声処理を開始させる。それにより、エンコーダ３１からは通常データレートのビデオデータが出力され、エンコーダ３５からは編集用のビデオデータが出力され、そして音声処理部３６からはオーディオデータが出力されるようになる。
【００９１】
ステップＳ１１で、ＦＴＰ接続が切断されたとき、またはステップＳ１３で、エンコード処理等が開始されたとき、ステップＳ１４に進み、制御部１７は、通常データレート画像記録処理を行う。この処理の詳細を、図１６のフローチャートを参照して説明する。
【００９２】
ステップＳ４１において、制御部１７は、フレームスイッチ３２を制御して、フレームスイッチ３２に入力されたフレームを、バッファ３４に出力させるとともに、ドライブ１４を制御して、バッファ３４に記憶されたフレームを、光ディスク２の記録ファイル２Ａに記録させる。
【００９３】
ステップＳ４２において、制御部１７は、ドライブ１４を制御して、ステップＳ４１で光ディスク２に記録されたフレームに対応する、エンコーダ３５から出力された編集用のビデオデータ、および音声処理部３６から出力されたオーディオデータを、同様に光ディスク２の記録ファイル２Ａに記録させる。
【００９４】
次に、ステップＳ４３において、制御部１７は、ステップＳ４１で光ディスク２の記録ファイル２Ａに記録されたフレームの属性データを、ドライブ１４を介して、光ディスク２の属性ファイル２Ｂに記録する。その後、処理は、図６のステップＳ１５に進む。
【００９５】
図１７は、通常データレート画像記録処理が行われているときの、図３の範囲Ｘを通過するデータ、および制御部１７からドライブ１４に供給される属性データを模擬的に示したものである。すなわち、フレームＦ１，Ｆ２，Ｆ３，Ｆ４・・・のすべてが、バッファ３４に出力され、ドライブ１４を介して、光ディスク２の記録ファイル２Ａに記録される。
【００９６】
編集用のビデオデータＥ１，Ｅ２，Ｅ３，Ｅ４，・・・、およびオーディオデータＡ１，Ａ２，Ａ３，Ａ４，・・・は、ドライブ１４を介して、光ディスク２の記録ファイル２Ａに記録される。
【００９７】
属性データＢ１，Ｂ２，Ｂ３，Ｂ４，・・・は、ドライブ１４を介して、光ディスク２の属性ファイル２Ｂに記録される。
【００９８】
図６に再び戻り、ステップＳ１５において、制御部１７は、画像記録モードが、高データレート画像記録モードに変更されたか否かを判定し、変更されたと判定した場合、ステップＳ３に進む。一方、変更されていないと判定した場合、ステップＳ１６に進み、記録終了の指令が操作部から入力されたか否かが判定される。
【００９９】
ステップＳ１６で、記録終了の指令が入力されていないと判定された場合、ステップＳ１４に戻り、それ以降の処理が行われる。
【０１００】
ステップＳ１で、画像記録モードが設定されていないと判定されたとき、ステップＳ１０で、ＦＴＰ接続が切断されたとき、またはステップＳ１６で、記録終了の指令が入力されたと判定された場合、制御部１７は、記録処理を終了させる。
【０１０１】
次に、記録再生装置４の記録処理の動作を、図１８のフローチャートを参照して説明する。なお、通常データレート画像記録が行われるとき、ビデオデータはカムコーダ１の光ディスク２にのみ記録されるので、そのとき記録再生装置４は動作しない。すなわち図１８には、高データレート画像記録がなされるときのスレーブ機器としての記録処理が示されている。
【０１０２】
ステップＳ５１において、記録再生装置４の制御部７５（図５）は、画像記録モードが設定されたか否かを判定し、画像記録モードが設定されたと判定した場合、ステップＳ５２に進み、その設定が、高データレート画像記録モードの設定であるかまたは通常データレート画像記録モードの設定であるかを判定する。
【０１０３】
ここでスレーブ機器としての画像記録モードの設定方法について説明するが、この場合も、図示せぬ表示部に表示される、図７に示した画像記録モード設定画面ＳＶ１が利用される。
【０１０４】
ユーザは、図示せぬ操作部を操作して、画像記録モード設定画面ＳＶ１に設けられた「画像記録モード設定」の欄ＳＶ２の「通常データレート画像」または「高データレート画像」のいずれかの表示を選択する。ユーザは、高データレートで画像を記録する場合、「高データレート画像」の表示を選択し、通常データレートで画像を記録する場合、「通常データレート画像」の表示を選択する。
【０１０５】
例えば、高データレートで画像を記録するものとして、「高画像データレート画像」の表示が選択された場合、画像記録モード設定画面ＳＶ１には、図８に示したように、「高データレート画像記録モード設定項目」の欄ＳＶ３が表示される。そしてユーザは、図１９に示すように、その欄に設けられた「動作モード設定」の欄ＳＶ４の「スレーブ機器モード」を選択し、「機器のＩＰアドレス」の欄ＳＶ５に、記録再生装置４のＩＰアドレスを入力するとともに、「設定有効」ボタンＳＶ１１を操作する。それにより、画像記録モードが、高データレート画像記録モードに設定される。
【０１０６】
一方、通常データレート画像記録モードを設定するものとして、図１１に示すように、「画像記録モード設定」の欄ＳＶ２の「通常データレート画像」が選択され、「設定有効」ボタンＳＶ１１が操作されると、画像記録モードが、通常データレート画像記録モードに設定される。
【０１０７】
図１８に戻り、ステップＳ５２で、高データレート画像記録モードが設定されたと判定された場合、ステップＳ５３に進み、制御部７５は、マスター機器１から、高データレート画像の記録を行うためのＦＴＰ接続の要求があるまで待機し（図６のステップＳ３）、その要求があったとき、ステップ５４に進み、その要求に応答してＦＴＰ接続を確立する。
【０１０８】
ステップＳ５５において、制御部７５は、ドライブ７３を制御して、光ディスク５に画像ファイル５Ａを生成する。なお、画像ファイル５Ａには、所定の拡張子と名前が付与され、それは、その名前または拡張子により管理される。
【０１０９】
ステップＳ５６において、制御部７５は、ネットワークＩ／Ｆ７１によりマスター機器１から送信されてきたフレーム（図１２のステップＳ２４）が受信されるまで待機し、フレームが受信されたとき、ステップＳ５７に進み、受信されたフレームを、バッファ７２およびドライブ７３を介して、光ディスク５の画像ファイル５Ａに記録（追記）する。
【０１１０】
次に、ステップＳ５８において、制御部７５は、ＦＴＰ接続の切断が要求されたか否かを判定し、要求されていないと判定した場合、ステップＳ５６に戻り、それ以降の処理を実行する。
【０１１１】
ステップＳ５８で、ＦＴＰ接続の切断が要求されたとき（図６のステップＳ１０，Ｓ１１）、ステップＳ５９に進み、制御部７５は、その要求に応答して、マスター機器１とのＦＴＰ接続を切断する。ステップＳ５１で、画像記録モードが設定されていないと判定されたとき、ステップＳ５２で、通常データレート画像記録モードが設定されたとき、またはステップＳ５９で、ＦＴＰ接続が切断されたとき、制御部７５は、記録処理を終了させる。
【０１１２】
図２０は、高データレート画像記録の処理が行われているときの、記録再生装置４の図５の範囲Ｙを通過するデータを模擬的に示したものである。なお、図２０は、図１４に対応しているので、ネットワークＩ／Ｆ７１により、受信されたマスター機器１から送信されてきた１フレームおきのフレームＦ２，Ｆ４，・・・が受信され、それらが、バッファ７２およびドライブ７３を介して、光ディスク５の画像ファイル５Ａに記録される。
【０１１３】
次に、カムコーダ１の再生処理を、図２１のフローチャートを参照して説明する。
【０１１４】
ステップＳ７１において、カムコーダ１の制御部１７（図４）は、操作部から再生開始の指令が入力されたか否かを判定し、その指令が入力されたと判定した場合、ステップＳ７２に進み、ドライブ１４を介して光ディスク２から、再生される画像の属性データが記録されている属性ファイル２Ｂ、およびビデオデータが記録されている記録ファイル２Ａを読み出す。
【０１１５】
次に、ステップＳ７３において、制御部１７は、ステップＳ７２で読み出した属性ファイル２Ｂに記録されている属性データを解析し、再生される画像が、高データレートで記録されたものか否かを判定する。具体的には、属性データの記録媒体番号ＲＮ（図１５）を参照し、複数の記録媒体の記録媒体番号ＲＮが存在するか否かが判定され、存在する場合、高データレートで記録されたものであると判定される。一方、マスター機器１の光ディスク２の番号（番号０）のみである場合、高データレートで記録されていないもの（通常データレートで記録されたもの）であると判定される。
【０１１６】
ステップＳ７３で、高データレートで記録されたものであると判定された場合、ステップＳ７４に進み、制御部１７は、ネットワークＩ／Ｆ１５を制御して、属性データに示される記録媒体番号ＲＮが付与された記録媒体に対する読み出しを行うスレーブ機器（この例の場合、記録再生装置４）に対して、ＦＴＰ接続を要求し、そのスレーブ機器４からの応答に基づいて、ＦＴＰ接続を確立する（コマンド“ｆｔｐ”を送信する）。
【０１１７】
次にステップＳ７５において、制御部１７は、高データレート画像再生処理を行う。この処理の詳細を、図２２のフローチャートを参照して説明する。
【０１１８】
ステップＳ９１において、制御部１７は、いま再生するフレームがマスター機器１に記録されているか、スレーブ機器４に記録されているかを判定する。具体的には、制御部１７は、図２１のステップＳ７２で読み出した属性ファイル２Ｂから、１フレーム分の属性データを、連続番号ＣＮの順に読み取り、読み取った属性データに含まれる記録媒体番号ＲＮが、マスター機器１に装着された光ディスク２のものか、またはスレーブ機器４に装着された光ディスク５のものかを判定する。
【０１１９】
ステップＳ９１で、マスター機器１に記録されていると判定された場合、ステップＳ９２に進み、制御部１７は、ステップＳ７２で読み出した記録ファイル２Ａから、属性データに含まれるフレームサイズに示される量だけ読み取り、バッファ５２に出力する。そして制御部１７は、スイッチフレーム５３を制御して、バッファ５２に記憶されたビデオデータを、デコーダ５４に出力させる。このようにしてデコーダに出力されたビデデータは、そこでデコードされ、表示部１８に出力させる。
【０１２０】
ステップＳ９１で、スレーブ機器１に記録されていると判定された場合、ステップＳ９３に進み、制御部１７は、ネットワークＩ／Ｆ１５を制御して、スレーブ機器４の画像ファイル５Ａからの、属性データに含まれるフレームサイズ分のビデオデータの送信を要求し（コマンド“ｇｅｔ”を送信し）、ステップＳ９４において、その要求に応じて、スレーブ機器４からＦＴＰで送信されてきたビデオデータを、バッファ５１に出力させる。そして制御部１７は、フレームスイッチ５３を制御し、バッファ５１に記憶されたビデオデータをデコーダ５４に出力させる。このようにしてデコーダ５４に出力されたビデオデータは、そこでデコードされ、表示部１８に出力される。
【０１２１】
ステップＳ９２またはステップＳ９４で、ビデオデータが再生されたとき、ステップＳ９５に進み、制御部１７は、必要に応じて、スイッチフレーム５３を制御し、ステップＳ９２またはステップＳ９４で再生されたフレームに対応する、記録ファイル２Ａから読み出された編集用のビデオデータおよびオーディオデータを、デコーダ５５または音声処理部５６に出力させる。デコーダ５５に入力された編集用のビデオデータは、そこでデコードされ、表示部１８に出力される。音声処理部５６に出力されたオーディオデータは、そこで音声処理が施され、その結果得られた音声信号が、スピーカ１９を介して出力される。その後、処理は、図２１のステップＳ７６に進む。
【０１２２】
図２３は、高データレート画像再生の処理が行われているときの、図４の範囲Ｗを通過するデータと、制御部１７に供給される属性データを模擬的に表したものである。すなわちこの場合、属性データＢ１，Ｂ２，Ｂ３，Ｂ４・・・に基づいて、再生される画像は、高データレートで記録されたものであると認識され、例えば、属性データＢ１に従って、光ディスク２の記録ファイル２Ａから読み出されたフレームＦ１が、デコーダ５４に出力され、次に、属性データＢ２に従って、光ディスク５の画像ファイル５Ａに記憶されていたフレームＦ２が、デコーダ５４に出力される。このようにして光ディスク２および光ディスク５のそれぞれに記録されてきた高データレートのビデオデータは合成されて再生される。
【０１２３】
記録ファイル２Ａから読み出された、編集用のビデオデータＥ１，Ｅ２，Ｅ３，Ｅ４，・・・は、デコーダ５５に出力され、オーディオデータＡ１，Ａ２，Ａ３，Ａ４，・・・は、音声処理部５６に出力される。
【０１２４】
図２１に戻り、ステップＳ７６において、制御部１７は、高データレートのビデオデータのすべてが再生されたか、または再生終了の指令が入力されたか否かを判定し、まだ再生されていないデータがまだ存在するか、または再生終了の指令が入力されていないと判定した場合、ステップＳ７５に戻り、それ以降の処理を実行する。
【０１２５】
ステップＳ７６で、高データレートのビデオデータのすべてが再生されたと、または再生終了の指令が入力されたと判定されたとき、ステップＳ７７に進み、制御部１７は、ステップＳ７４で確立したＦＴＰ接続の切断をスレーブ機器４に要求し、その応答に基づいて、ＦＴＰ接続を切断する（コマンド“ｑｕｉｔ”を送信する）。
【０１２６】
ステップＳ７３で、高データレートで記録されたものではないと判定されたとき（通常データレートで記録されたものであるとき）、ステップＳ７８に進み、制御部１７は、通常データレート画像再生処理を行う。ここでの処理の詳細を、図２４のフローチャートを参照して説明する。
【０１２７】
ステップＳ１０１において、制御部１７は、図２１のステップＳ７２で読み出した属性ファイル２Ｂから、１フレーム分の属性データを、連続番号ＣＮの順に読み取り、その属性データに含まれるフレームサイズＦＳ分だけのビデオデータを、ステップＳ７２で読み出した記録ファイル２Ａから読み出し、バッファ５２に出力させる。そして制御部１７は、スイッチフレーム５３を制御して、バッファ５２に記憶されたビデオデータを、デコーダ５４に出力させる。このようにしてデコーダに出力されたビデオデータは、そこでデコードされ、表示部１８に出力される。
【０１２８】
ステップＳ１０２において、制御部１７は、必要に応じて、ドライブ１４を制御し、ステップＳ１０１で再生されたフレームに対応する編集用のビデオデータおよびオーディオデータを記録ファイル２Ａから読み出し、デコーダ５５または音声処理部５６に出力する。デコーダ５５に入力された編集用のビデオデータは、そこでデコードされ、表示部１８に出力される。音声処理部５６に入力されたオーディオデータは、そこで音声処理が施され、その結果得られた音声信号が、スピーカ１９を介して出力される。その後、処理は、図２２のステップＳ７９に進む。
【０１２９】
図２５は、通常データレート画像再生処理が行われているときの、図４の範囲Ｗを通過するデータと、制御部１７に供給される属性データを模擬的に表したものである。すなわちこの場合、属性データＢ１，Ｂ２，Ｂ３，Ｂ４・・・に基づいて、再生される画像は、通常データレートで記録されたものであると認識され、記録ファイル２Ａから読み出された、フレームＦ１，Ｆ２，Ｆ３，Ｆ４，・・・が、デコーダ５４に出力される。
【０１３０】
記録ファイル２Ａから読み出された、編集用のビデオデータＥ１，Ｅ２，Ｅ３，Ｅ４，・・・は、デコーダ５５に出力され、オーディオデータＡ１，Ａ２，Ａ３，Ａ４，・・・は、音声処理部５６に出力される。
【０１３１】
図２１に戻り、ステップＳ７９において、制御部１７は、通常データレートのビデオデータのすべてが再生されたか、または再生終了の指令が入力されたかを判定し、再生されていないデータが存在すると、または再生終了の指令が入力されていないと判定した場合、ステップＳ７８に戻り、それ以降の処理を実行する。
【０１３２】
ステップＳ７９で、通常データレートのすべてのビデオデータが再生されたと、または再生終了の指令が入力されたと判定されたとき、制御部１７は、再生処理を終了させる。
【０１３３】
次に、記録再生装置４の再生処理の動作を、図２６のフローチャートを参照して説明する。
【０１３４】
ステップＳ１１１において、記録再生装置４の制御部７５（図５）は、高データレート画像の再生を行うためのＦＴＰ接続の要求があるまで待機し、その要求があったとき（図２１のステップＳ７４）、ステップＳ１１２に進み、再生されるビデオデータが記録されている画像ファイル５Ａを光ディスク５Ａから読み出す。
【０１３５】
次に、ステップＳ１１３において、制御部７５は、ネットワークＩ／Ｆ７１を制御して、ＦＴＰ接続を確立する。
【０１３６】
ステップＳ１１４において、制御部７５は、マスター機器１から、フレームの転送が要求されるまで待機し、その要求があったとき（図２２のステップＳ９３）、ステップＳ１１５に進み、ネットワークＩ／Ｆ７１を制御して、画像ファイル５Ａから読み取られた、要求されたフレームをマスター機器１に送信させる。
【０１３７】
ステップＳ１１６において、制御部７５は、ステップＳ１１３で確立されたＦＴＰ接続の切断が要求されたか否かを判定し、要求されていないと判定した場合、ステップＳ１１４に戻り、それ以降の処理を実行する。
【０１３８】
ステップＳ１１６で、ＦＴＰ接続の切断が要求されたとき（図２１のステップＳ７７）、ステップＳ１１７において、制御部７５は、ネットワークＩ／Ｆ７１を制御して、ＦＴＰ接続を切断させる。その後、処理は終了する。
【０１３９】
図２７は、通常データレート画像再生処理が行われているときの、図５の範囲Ｖを通過するデータを模擬的に表したものである。なお、図２７は、図２３に対応しているので、画像ファイル５Ａから読み出された１フレームおきのフレームＦ２，Ｆ４，・・・は、ネットワークＩ／Ｆ７１を介してマスター機器１に送信される。
【０１４０】
以上のようにして、再生処理が行われるが、図２２における高データレート再生処理においては、光ディスク２および光ディスク５のそれぞれに記録されていたビデオデータが合成されて再生されたが（図２３）、例えば、光ディスク２に記録されているビデオデータのみを利用して画像再生を行うこともできる。
【０１４１】
例えば、図２８に示すように、光ディスク５に記録されたフレームに代えて、複製された光ディスク２に記録されていたフレームが再生される。図２８には、光ディスク２に記録された１フレームおきのフレームＦ１，Ｆ３，・・・がそれぞれ複製され、フレームＦ１，Ｆ１，Ｆ３，Ｆ３，・・・の順番で再生されている様子が示されている。
【０１４２】
また、図２９に示すように、光ディスク５に記録されたフレームに代えて、対応する編集用のビデオデータを拡大して再生することもできる。図２９には、光ディスク２に記録された１フレームおきのフレームＦ１，Ｆ３，・・・と、その間のフレーム（フレームＦ２，Ｆ４，・・・）に対応するビデオデータ（ビデオデータＥ２，Ｅ４，・・・）が、フレームＦ１，ビデオデータＥ２，フレームＦ２，ビデオデータＥ４，・・・の順番で再生されている様子が示されている。
【０１４３】
また、以上においては、高データレートで記録された画像を記録時に記録されたままの属性データに基づいて再生したが（記録された画像が再現されたが）、編集用のビデオデータを利用して編集を行い、その編集画像を表示させることもできる。
【０１４４】
編集用の画像を利用して編集を行った場合、各カットのタイムコード等からなる編集情報が生成されるので、その編集情報に含まれるタイムコードに対応するタイムコードを属性データから検出し、検出した属性データに従って図２１に示した再生処理を行うことにより、編集画像を再生することができる。
【０１４５】
また、図１の例では、スレーブ機器（記録再生装置４）が１台であったが、スイッチングハブ１０１を利用して、図３０に示すように、複数のスレーブ機器を利用することもできる。
【０１４６】
図３１は、２台の記録再生装置４−１乃至４−２を、スレーブ機器として利用する場合の、高データレート画像記録処理が行われるときの、カムコーダ１の図３の範囲Ｘを通過するデータ、および制御部１７からドライブ１４に供給される属性データを模擬的に示したものである。すなわちこの例の場合、最初にフレームスイッチ３２に入力されたフレームＦ１は、バッファ３４およびドライブ１４を介して、光ディスク２に記録ファイル２Ａに記録される。
【０１４７】
そしてそれに続いて入力されたフレームＦ２は、バッファ３３およびネットワークＩ／Ｆ１５を介してスレーブ機器４−１に送信され、光ディスク５−１の画像ファイル５Ａ−１に記録される。それに続いて入力されたフレームＦ３は、バッファ３３およびネットワークＩ／Ｆ１５を介してスレーブ機器４−２に送信され、光ディスク５−２の画像ファイル５Ａ−２に記録される。
【０１４８】
すなわちこの例の場合、高データレートのビデオデータのフレームが、光ディスク２、光ディスク５−１、および光ディスク５−３の順番で記録される。
【０１４９】
図３２は、高データレート画像記録の処理が行われているときの、記録再生装置４−１（スレーブ機器４−１）の図４の範囲Ｙを通過するデータを模擬的に示したものであり、図３３は、記録再生装置４−２（スレーブ機器４−２）の図４の範囲Ｙに相当する部分を通過するデータを模擬的に表してものである。
【０１５０】
スレーブ機器４−１（図３２）においては、ネットワークＩ／Ｆ７１−１により受信されたマスター機器１から送信されてきた３フレームおきのフレームＦ２，Ｆ５，・・・が、バッファ７２−１およびドライブ７３−１を介して、光ディスク５―１の画像ファイル５Ａ−１に記録される。スレーブ機器５−２（図３３）においては、ネットワークＩ／Ｆ７１−２により受信されたマスター機器１から送信されてきた３フレームおきのフレームＦ３，Ｆ６，・・・が、バッファ７２−２およびドライブ７３−２を介して、光ディスク５―２の画像ファイル５Ａ―２に記録される。
【０１５１】
また、図１の例においては、記録再生装置４をスレーブ機器としたが、図３４または図３５に示すように、他のカムコーダ１１１をスレーブ機器とし、それに装着された光ディスク１１２を利用することもできる。なお、その他、パーソナルコンピュータや、通信機能を有したハードディスク等をスレーブ機器とすることもできる。
【０１５２】
また、以上においては、カムコーダ１および記録再生装置４がそれぞれ１つの記録媒体（光ディスク４または光ディスク５）にデータを記録したが、それぞれ複数の記録媒体に記録することもできる。
【０１５３】
また、以上においては、光ディスク２および光ディスク５が、それぞれマスター機器１またはスレーブ機器４に装着されている状態で高データレートのビデオデータがマスター機器１において合成されたが、例えば、図３６に示すようなパーソナルコンピュータ５０１において、高データレートを合成することもできる。
【０１５４】
この例の場合の合成処理を、図３７のフローチャートを参照して説明する。なお、光ディスク２および光ディスク５が、それぞれパーソナルコンピュータ５０１に装着され、それらに記録されている記録ファイル２Ａおよび属性ファイル２Ｂ、並びに画像ファイル５Ａが、ハードディスク５１４に記憶されているものとする。
【０１５５】
ステップＳ１３１において、ＣＰＵ５１１は、属性ファイル２Ｂから、１フレーム分の属性データを、連続番号ＣＮの順に読み取り、読み取った属性データに含まれる記録媒体番号ＲＮにより示される記録媒体に記録されていた画像ファイル５Ａ（または記録ファイル２Ａ）を検出する。
【０１５６】
ステップＳ１３２において、ＣＰＵ５１１は、ステップＳ１３１で検出したファイルから、属性データに含まれるフレームサイズ分のビデオデータを読み取り、ステップＳ１３３において、ハードディスク５１４に追記する。
【０１５７】
ステップＳ１３４において、ＣＰＵ５１１は、ビデオデータの合成が完了したか否かを判定し、完了していないと判定した場合、ステップＳ１３１に戻り、それ以降の処理を行う。一方、完了したと判定された場合、処理は、終了する。
【０１５８】
上述した一連の処理は、ハードウエアにより実行させることもできるが、ソフトウエアにより実行させることもできる。
【０１５９】
【発明の効果】
第１の本発明によれば、例えば、第１の記録装置の記録レートより大きいレートで、画像データを記録することができる。
【０１６０】
第２の本発明によれば、記録レートより大きいレートで、画像データ記録することができる。
【０１６１】
第３の本発明によれば、例えば、記録媒体の記録レートより大きいレートで記録されたビデオデータを再生することができる。
【図面の簡単な説明】
【図１】本発明を適用したデコーダおよび記録再生装置の利用例を示している。
【図２】図１のデコーダの構成例を示すブロック図である。
【図３】図２の記録部の構成例を示すブロック図である。
【図４】図２の再生部の構成例を示すブロック図である。
【図５】図１の記録再生装置の構成例を示すブロック図である。
【図６】図１のカムコーダの記録処理を説明するフローチャートである。
【図７】画像記録モード設定画面の表示例を示す図である。
【図８】画像記録モード設定画面の他の表示例を示す図である。
【図９】画像記録モード設定画面の他の表示例を示す図である。
【図１０】画像記録モード設定画面の他の表示例を示す図である。
【図１１】画像記録モード設定画面の他の表示例を示す図である。
【図１２】図６のステップＳ７の詳細を説明するフローチャートである。
【図１３】属性データのデータ構造を示す図である。
【図１４】カムコーダ１の記録処理を説明する図である。
【図１５】属性ファイルに記録されている属性データを示す図である。
【図１６】図６のステップＳ１４の詳細を説明するフローチャートである。
【図１７】図１のカムコーダの記録処理を説明する他の図である。
【図１８】図１の記録再生装置の記録処理を説明するフローチャートである。
【図１９】画像記録モード設定画面の他の表示例を示す図である。
【図２０】図１の記録再生装置の記録処理を説明する図である。
【図２１】図１のカムコーダの再生処理を説明するフローチャートである。
【図２２】図２１のステップＳ７５の詳細を説明するフローチャートである。
【図２３】図１のカムコーダの再生処理を説明する図である。
【図２４】図２１のステップＳ７８の詳細を説明するフローチャートである。
【図２５】図１のカムコーダの再生処理を説明するフローチャートである。
【図２６】図１の記録再生装置の再生処理を説明するフローチャートである。
【図２７】図１の記録再生装置の再生処理を説明する図である。
【図２８】図１のカムコーダの他の再生処理を説明する図である。
【図２９】図１のカムコーダの他の再生処理を説明する図である。
【図３０】本発明を適用したカムコーダおよび記録再生装置の他の利用例を示す図である。
【図３１】図３０のカムコーダの記録処理を説明する図である。
【図３２】図３０の記録再生装置の記録処理を説明する図である。
【図３３】図３０の記録再生装置の他の記録処理を説明する図である。
【図３４】本発明を適用したカムコーダの他の利用例を示す図である。
【図３５】本発明を適用したカムコーダの他の利用例を示す図である。
【図３６】本発明を適用したパーソナルコンピュータの構成例を示す図である。
【図３７】図３６のパーソナルコンピュータの動作を説明するフローチャートである。
【符号の説明】
１　カムコーダ，　２　光ディスク，　３　ネットワーク，　４　記録再生装置，　５　光ディスク，　１１　ＣＣＤビデオカメラ，　１２　マイクロフォン，１３　記録部，　１４　ドライブ，　１５　ネットワークＩ／Ｆ，　１６　再生部，　１７　制御部，　１８　表示部，　１９　スピーカ，　３１　エンコーダ，　３２　フレームスイッチ，　３３　バッファ，　３４　バッファ，　３５エンコーダ，　３６　音声処理部，　５１　バッファ，　５２　バッファ，　５３　フレームスイッチ，　５４　デコーダ，　５５　デコーダ，　５６　音声処理部，　７１　ネットワークＩ／Ｆ，　７２　バッファ，　７３　ドライブ，７４　バッファ，　７５　制御部，　１０１　スイッチングハブ，　１１１　カムコーダ，　１１２　光ディスク，　５１０　パーソナルコンピュータ
【図１】
2004103105.tif 000003
【図２】
2004103105.tif 000004
【図３】
2004103105.tif 000005
【図４】
2004103105.tif 000006
【図５】
2004103105.tif 000007
【図６】
2004103105.tif 000008
【図７】
2004103105.tif 000009
【図８】
2004103105.tif 000010
【図９】
2004103105.tif 000011
【図１０】
2004103105.tif 000012
【図１１】
2004103105.tif 000013
【図１２】
2004103105.tif 000014
【図１３】
2004103105.tif 000015
【図１４】
2004103105.tif 000016
【図１５】
2004103105.tif 000017
【図１６】
2004103105.tif 000018
【図１７】
2004103105.tif 000019
【図１８】
2004103105.tif 000020
【図１９】
2004103105.tif 000021
【図２０】
2004103105.tif 000022
【図２１】
2004103105.tif 000023
【図２２】
2004103105.tif 000024
【図２３】
2004103105.tif 000025
【図２４】
2004103105.tif 000026
【図２５】
2004103105.tif 000027
【図２６】
2004103105.tif 000028
【図２７】
2004103105.tif 000029
【図２８】
2004103105.tif 000030
【図２９】
2004103105.tif 000031
【図３０】
2004103105.tif 000032
【図３１】
2004103105.tif 000033
【図３２】
2004103105.tif 000034
【図３３】
2004103105.tif 000035
【図３４】
2004103105.tif 000036
【図３５】
2004103105.tif 000037
【図３６】
2004103105.tif 000038
【図３７】
2004103105.tif 000039